(57)【要約】  エレベータ操作表示器具の設定情報データを据付作業者又は保守管理者等が設定変更した場合、設定変更された設定情報データを設定変更時点から一定時間デジタルインジケータに表示させるエレベータ操作表示器具の設定情報表示装置を得る。  エレベータの乗場又はかごに設けられ、デジタルインジケータに階床データ及び設定情報データを表示するようにしたエレベータ操作表示器具において、エレベータ操作表示器具に設けられ、据付作業者又は保守管理者が設定情報データの設定変更を実施でき、設定変更された設定情報データ表示信号をデジタルインジケータに出力する設定情報データ用設定変更制御手段を備えている。
2008155837.tif 000002
【特許請求の範囲】
【請求項１】
エレベータの乗場又はかごに設けられ、デジタルインジケータに階床データ及び設定情報データを表示するようにしたエレベータ操作表示器具において、
前記エレベータ操作表示器具に設けられ、据付作業者又は保守管理者が前記設定情報データの設定変更を実施でき、設定変更された設定情報データ表示信号を前記デジタルインジケータに出力する設定情報データ用設定変更制御手段を備えたことを特徴とするエレベータ操作表示器具の設定情報表示装置。
【請求項２】
エレベータの乗場又はかごに設けられ、デジタルインジケータに階床データ及び設定情報データを表示するようにしたエレベータ操作表示器具において、
前記エレベータ操作表示器具に設けられ、据付作業者又は保守管理者が前記設定情報データの設定変更を実施でき、設定変更された設定情報データ表示信号を前記デジタルインジケータに出力する設定情報データ用設定変更制御手段と、
前記エレベータ操作表示器具に設けられ、前記設定情報データが設定変更された時に音声出力により報知する音声出力手段と、
を備えたことを特徴とするエレベータ操作表示器具の設定情報表示装置。
【請求項３】
設定情報データ用設定変更制御手段は、一定時間カウンタにより、設定情報データの設定変更時点から一定時間デジタルインジケータに表示させることを特徴とする請求項１又は請求項２記載のエレベータ操作表示器具の設定情報表示装置。
【発明の詳細な説明】
【技術分野】
【０００１】
この発明は、エレベータ操作表示器具の設定情報データを据付作業者又は保守管理者等が設定変更した場合、設定変更された設定情報データを設定変更時点から一定時間デジタルインジケータに表示させるエレベータ操作表示器具の設定情報表示装置に関するものである。
【背景技術】
【０００２】
従来、エレベータ操作表示器具の設定機能は、エレベータ信号伝送システムの設置階床を決める部品として使用されており、その設定情報データはそれぞれの設置階床により異なっている。したがって、エレベータ乗場操作表示器具の設定作業は、据付時に実施する必要があり、全階床分を実施しなければならない。
このようなエレベータ乗場操作表示器具の据付時の構造では、設定機能部品が意匠上や、乗場インジケータ基板の工作上の理由等により、設定し易い場所に実装されていない場合が多く、据付作業者からは見えづらい場所に実装されている。【０００３】
また、従来技術として、エレベータのかご又は乗場に設けられた表示制御装置に個別時計を内蔵して現在時刻を表示させ、この個別時計の時刻を修正すべき要件が発生すると、この要件を時刻修正要件検出手段で検出して表示手段に対して共通に設けられた基準時計の時刻で個別時計の時刻を修正するようにしたエレベータの情報表示制御システムが知られている（例えば、特許文献１参照）。【０００４】
【特許文献１】日本特開２００１−３１０８８１号公報
【発明の開示】
【発明が解決しようとする課題】
【０００５】
従来のエレベータ操作表示器具の設定機能部品では、設定し易い場所に実装されていない場合が多く、据付作業者からは見えづらい場所に実装されているので、設定作業後に設定機能部品に印刷されている設定情報データを据付作業者が目視で確認することが困難であるという問題点がある。さらに、設定機能部品の小型化や、見えづらい場所に実装されていることから、設定用工具での設定時の設定感触が大型の設定機能部品と比較して判別しづらくなっており、中途半端な設定になってしまうという問題点がある。【０００６】
また、従来技術では、エレベータ操作表示器具のデジタルインジケータ機能として、通常機能である階床データを表示する機能と、時刻情報データを表示する機能を備えているが、エレベータ操作表示器具の設定情報データを据付作業者又は保守管理者等が設定変更した場合、設定変更された設定情報データを設定変更時点から一定時間の間デジタルインジケータに表示させるとは明らかに相違するものである。【０００７】
この発明は上記のような課題を解決するためになされたもので、エレベータ操作表示器具の設定情報データを据付作業者又は保守管理者等が設定変更した場合、設定変更された設定情報データを設定変更時点から一定時間デジタルインジケータに表示させるエレベータ操作表示器具の設定情報表示装置を提供するものである。
【課題を解決するための手段】
【０００８】
この発明に係るエレベータ操作表示器具の設定情報表示装置においては、エレベータの乗場又はかごに設けられ、デジタルインジケータに階床データ及び設定情報データを表示するようにしたエレベータ操作表示器具において、エレベータ操作表示器具に設けられ、据付作業者又は保守管理者が設定情報データの設定変更を実施でき、設定変更された設定情報データ表示信号をデジタルインジケータに出力する設定情報データ用設定変更制御手段を備えたものである。
【発明の効果】
【０００９】
この発明によれば、エレベータ操作表示器具の設定情報データを据付作業者又は保守管理者等が設定変更した場合、設定変更された設定情報データを設定変更時点から一定時間デジタルインジケータに表示するようにしたので、据付作業者又は保守作業者は容易に設定変更された設定情報データを確認することができる。これにより、設定作業負荷の軽減及び設定間違いを防止することができる。更に、音声出力用ブザーを追加し、設定情報データの設定変更情報を制御部が認識した場合に音声出力用ブザーに信号出力するようにすれば、据付作業者又は保守作業者は設定情報データが設定変更されたことをデジタルインジケータ及び音声出力の両方で認識することができ、設定作業効率が向上し、さらに設定情報データの品質向上となる。
【図面の簡単な説明】
【００１０】
【図１】図１はこの発明の実施例１におけるエレベータ操作表示器具の設定情報表示装置の全体構成を示すシステム構成図である。
【図２】図２はこの発明の実施例１におけるエレベータ操作表示器具の設定情報表示装置の要部構成を示すブロック構成図である。
【図３】図３はこの発明の実施例１におけるエレベータ操作表示器具の設定情報表示装置の処理動作を説明するためのフローチャートである。
【符号の説明】
【００１１】
１  エレベータ機械室
２  エレベータ制御盤
３  信号ラインのマスター部
４  ＣＰＵ基板
５  乗場信号伝送ライン
６  かご信号伝送ライン
７  エレベータ昇降路
８  エレベータかご
９〜１２  乗場操作表示器具
１３  かご操作表示器具
１４  非同期シリアル通信用送受信回路（ＵＡＲＴ回路）
１５  設定スイッチ回路部
１６  操作表示器具の制御部
１７  インターフェース回路
１８  デジタルインジケータ部
【発明を実施するための最良の形態】
【００１２】
この発明をより詳細に説明するために、添付の図面に従ってこれを説明する。
【実施例１】
【００１３】
図１はこの発明の実施例１におけるエレベータ操作表示器具の設定情報表示装置の全体構成を示すシステム構成図、図２はこの発明の実施例１におけるエレベータ操作表示器具の設定情報表示装置の要部構成を示すブロック構成図、図３はこの発明の実施例１におけるエレベータ操作表示器具の設定情報表示装置の処理動作を説明するためのフローチャートである。【００１４】
図１において、１はエレベータ機械室、２はエレベータ機械室１に設置されたエレベータ制御盤であり、機械室レスエレベータの場合は、昇降路に設置される。３はエレベータ制御盤２内に設けられた乗場信号ライン及びかご信号ラインのマスター部、４はエレベータ制御盤２内に設けられたＣＰＵ基板、５はエレベータの昇降路、６は昇降路５内を昇降するエレベータのかご、７〜１０は各階乗場にそれぞれ設けられたエレベータの乗場操作表示器具、１１はかご６に設けられたエレベータのかご操作表示器具、１２は各乗場操作表示器具７〜１０とエレベータ制御盤２の信号ラインのマスター部３を接続する乗場信号伝送ライン、１３はかご操作表示器具１１とエレベータ制御盤２の信号ラインのマスター部３を接続するかご信号伝送ラインである。【００１５】
図２は操作表示器具の設定情報データ表示システムを示すものである。図２において、１４はエレベータ機器との通信を行うための非同期シリアル通信用送受信回路（ＵＡＲＴ回路）であり、ここではエレベータ制御盤２と通信を行うためのＵＡＲＴ回路である。１５は各操作表示器具７〜１１を制御しているワンチップマイコンからなる制御部、１６は据付作業者又は保守管理者が設定情報データの設定変更を実施することができ、ワンチップマイコンからなる制御部１５に設定変更された設定情報データを出力する設定スイッチ回路である。ここでは、ワンチップマイコンからなる制御部１５は、設定スイッチ回路１６から設定変更された設定情報データを取得し、後述するデジタルインジケータに設定変更された設定情報データ表示信号を出力する制御も担当している。そして、上記制御部１５及び設定スイッチ回路１６により、設定情報データ用設定変更制御手段が構成されている。１７はワンチップマイコンからなる制御部１５から指示されたデジタルインジケータ制御信号によりデジタルインジケータを点灯・消灯制御するインターフェース回路、１８はインターフェース回路１７から制御され、階床データ及び設定変更された設定情報データを表示するデジタルインジケータである。【００１６】
次に、操作表示器具の設定情報データ表示システムの処理動作について、図３を用いて説明する。
先ず、ステップＳ１で設定情報データに設定変更があるか無いかを判別する。ステップＳ１で設定情報データに設定変更があれば、ステップＳ６へ進み、設定変更がなければステップＳ２へ進む。ステップＳ２では、デジタルインジケータ１８の表示内容が階床データであるか否かを判別する。ステップＳ２で階床データを表示している場合は、ステップＳ１へ戻る。ステップＳ２で設定情報データを表示している場合は、ステップＳ３へ進む。ステップＳ３では、一定時間カウンタのカウンタ値を判別する。ステップＳ３で一定時間カウンタのカウンタ値に到達している場合は、ステップＳ４へ進み、一定時間カウンタのカウンタ値に到達していない場合は、ステップＳ５へ進む。ステップＳ４ではデジタルインジケータ１８の表示内容を設定情報データから階床データへ変更して表示し、ステップＳ１へ戻る。ステップＳ５では、一定時間カウンタをカウントアップし、ステップＳ１へ戻る。
次に、ステップＳ６では、デジタルインジケータ１８の表示内容を階床データから設定変更された設定情報データへ変更して表示する。そして、次のステップＳ７では、一定時間カウンタのカウンタ値をリセットする。これにより、設定変更された設定情報データを設定変更時点から一定時間デジタルインジケータ１８に表示する。次のステップＳ８では、一定時間カウンタのカウントをスタートする。そして、上記処理を電源が遮断されるまで繰り返す。【００１７】
上記実施例１によれば、エレベータ操作表示器具の設定情報データを据付作業者又は保守管理者等が設定変更した場合、設定変更された設定情報データを設定変更時点から一定時間デジタルインジケータに表示するようにしたので、据付作業者又は保守作業者は容易に設定変更された設定情報データを確認することができる。これにより、設定作業負荷の軽減及び設定間違いを防止することができる。
【実施例２】
【００１８】
更に、上記実施例１の構成に加えて、操作表示器具７〜１１に音声出力用ブザーからなる音声出力手段を追加し、設定情報データの設定変更情報を制御部１５が認識した場合、上記音声出力用ブザーに信号出力するようにすれば、据付作業者又は保守作業者は設定情報データが設定変更されたことをデジタルインジケータの設定情報データ表示と、音声出力による報知の両方で認識することができるので、設定作業効率が向上し、さらに設定情報データの品質向上となる。
【産業上の利用可能性】
【００１９】
以上のように、この発明に係るエレベータ操作表示器具の設定情報表示装置は、エレベータ操作表示器具の設定情報データを据付作業者又は保守管理者等が設定変更した場合、設定変更された設定情報データを設定変更時点から一定時間デジタルインジケータに表示させることができる。
【図１】
2008155837.tif 000003
【図２】
2008155837.tif 000004
【図３】
2008155837.tif 000005
【国際調査報告】
2008155837.tif 000006
2008155837.tif 000007
2008155837.tif 000008